(57)【要約】【課題】糸状体を使用した不正行為を阻止する。【解決手段】  遊技球ＰＢを１個ずつ発射位置Ｓに向け送り込む球送り装置Ｋに、該球送り装置Ｋから遊技盤の球導入経路まで延在する球移動経路Ｒに切断部１０１が臨むように切断部材１００が設けられる。すなわち切断部１０１は、球移動経路Ｒにおける球送り経路Ｒ１の球発射経路Ｒ２に連通する球送出口８０において、該発射レール５１の上端側に位置する角縁部８０Ｂに臨んでいる。従って、糸状体Ｕの一端が連結された遊技球ＰＢを、球送り装置Ｋから発射位置Ｓへ送り込んで発射レール５１に沿って遊技盤に向け発射させると、球移動経路Ｒへ引き込まれた糸状体Ｕが切断部１０１で切断される。【選択図】図１６
2014008171.tif 000002
【特許請求の範囲】
【請求項１】
球皿から遊技球を１個ずつ発射位置に向け送り込む球送り部と、前記発射位置から発射された遊技球を遊技盤の球導入部に向けて案内する球発射案内部とを備えた遊技機において、
前記球送り部から前記球導入部までの球移動経路に臨むよう切断部が設けられ、
前記遊技球に一端が連結された糸状体を、前記切断部で切断するよう構成した
ことを特徴とする遊技機。
【請求項２】
前記球移動経路には、遊技球の発射に伴い前記糸状体を前記切断部に向けて案内する案内部が設けられた請求項１記載の遊技機。
【請求項３】
前記球移動経路は、前記球送り部に前記発射位置へ向け延在するよう形成した球送り経路と、前記球発射案内部に沿って該発射位置から前記球導入部に向け上方に傾斜し、前記球送り経路と交差する方向に延在するよう形成した球発射経路とを有し、
前記切断部は、前記球送り経路の球発射経路に連通する開口部において、前記球発射案内部の上端側に位置する角縁部に臨むよう配設された請求項１または２記載の遊技機。
【請求項４】
前記切断部は、前記球移動経路に向け開口すると共に該開口から離れるにつれて徐々に間隔が狭くなるよう形成された一対の切断刃を備え、
両切断刃間に挟まれた前記糸状体が切断されるよう構成した請求項１〜３の何れか一項に記載の遊技機。
【請求項５】
前記球移動経路と前記切断部との間に、遊技球が該切断部に接触するのを防止するカバー部が設けられている請求項１〜４の何れか一項に記載の遊技機。
【請求項６】
前記球送り部は、遊技球を１球ずつ発射位置へ送り込む球送り体を駆動させる駆動手段を備え、
前記切断部は、前記駆動手段に連係されて、該駆動手段の駆動により前記糸状体を切断するよう姿勢変位する請求項１〜５の何れか一項に記載の遊技機。
【発明の詳細な説明】
【技術分野】
【０００１】
この発明は、球送り部から１個ずつ送り込んだ遊技球を、球発射案内部を介して遊技盤へ打ち出して遊技を行なう遊技機に関するものである。
【背景技術】
【０００２】
例えば、遊技機の代表例の１つであるパチンコ機は、前後に開口する矩形枠状に形成されて遊技ホールの設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護するガラス板を備えた装飾枠としての前枠とを基本的に備えている。また、パチンコ機の正面には、遊技球を貯留する上球皿および下球皿が配設される一方、中枠の右下には、上球皿から供給される遊技球を発射位置へ１球ずつ供給する球送り装置や、発射位置にセットされた遊技球を遊技盤に向けて発射する発射装置等が配設されている。更に、前枠の正面右下部(下球皿の右側)に、球送り装置の球送り動作および発射装置の球発射動作を行なうハンドルユニットが配設されている。前記パチンコ機は、遊技者がハンドルユニットの操作部を回転操作することで球送り装置および発射装置が同期して作動し、該球送り装置および発射装置の協働により発射位置に送り込まれた遊技球を所定間隔毎に遊技盤の遊技領域へ打ち出してパチンコ遊技が行なわれる。そして、打ち出された遊技球が、遊技盤の遊技領域に配設された入賞口または入賞装置に入賞し、球センサで検知されることを条件として、所定数の遊技球が賞球として上球皿または下球皿へ払い出される。
【０００３】
ところで、前記パチンコ機によるパチンコ遊技においては、様々な道具や器具を使用した不正行為の被害が報告されている。このような不正行為の一種に、縫い糸や釣り糸等の糸状体の一端を遊技球に連結し、該糸状体を連結した遊技球を、前記球送り装置および発射装置により遊技盤の遊技領域へ打ち出し、該糸状体の他端側をパチンコ機の外部から引張ったり緩めたりしながら適宜操作することで賞球を不正取得しようとする不正行為がある。具体的には、前記糸状体を操作して、該糸状体が連結された遊技球を遊技領域に配設された入賞口や入賞装置に入賞させ、該入賞口や入賞装置に配設された球センサーで何度も検知させて賞球を取得しようとする不正行為である。
【０００４】
そこで、このような糸状体を使った不正行為を阻止する対策が提案されている。例えば、特許文献１には、入賞装置と入賞球検出器との間に配設された球樋におけるジグザグに延在形成されたセーフ球案内路の内側角部に切断部材を配設して、セーフ球案内路に通入した糸状体を切断部材で切断して該糸状体と遊技球とを分離することで不正行為を阻止する球通路構造が開示されている。
【先行技術文献】
【特許文献】
【０００５】
【特許文献１】特開２０１２−３４８５４号公報
【発明の概要】
【発明が解決しようとする課題】
【０００６】
特許文献１に開示された球通路構造は、糸状体を連結した遊技球が入賞装置に入賞して球樋のセーフ球案内路に到達すれば該糸状体を切断部材で切断することが可能であるが、遊技球がセーフ球案内路まで到達しなければ糸状体を切断することが不可能である。すなわち、前記糸状体を操作して、該糸状体が連結された遊技球を遊技領域における入賞口または入賞装置の近傍に停留させ、後から打ち込まれた遊技球を入賞口または入賞装置の方向へ弾かれ易くすることで入賞確率を高めて賞球を取得する不正行為は、前記球通路構造では阻止することができない。
【０００７】
すなわち本発明は、従来の技術に係る遊技機に内在する前記課題に鑑み、これを好適に解決するべく提案されたものであって、糸状体を使用した不正行為を阻止し得る遊技機を提供することを目的とする。
【課題を解決するための手段】
【０００８】
前記課題を克服し、所期の目的を達成するため、本願の請求項１に係る発明は、球皿(E)から遊技球(PB)を１個ずつ発射位置(S)に向け送り込む球送り部(K)と、前記発射位置(S)から発射された遊技球(PB)を遊技盤(D)の球導入部(37)に向けて案内する球発射案内部(51)とを備えた遊技機において、
前記球送り部(K)から前記球導入部(37)までの球移動経路(R)に臨むよう切断部(101)が設けられ、
前記遊技球(PB)に一端が連結された糸状体(U)を、前記切断部(101)で切断するよう構成したことを要旨とする。
【０００９】
請求項１の発明によれば、遊技球に一端が連結された糸状体を、該遊技球が通過する球移動経路に臨むよう設けた切断部で切断することができる。従って、遊技盤へ打ち出された遊技球をパチンコ機の前側から糸状体で操作することが不可能となり、該糸状体を使用した不正行為を阻止することが可能である。
【００１０】
請求項２に係る発明では、前記球移動経路(R)には、遊技球の発射に伴い前記糸状体(U)を前記切断部(101)に向けて案内する案内部(80A,80B)が設けられたことを要旨とする。
請求項２の発明によれば、遊技球に連結された糸状体が、遊技球の発射に伴って案内部により切断部へ案内されるから、該切断部により該糸状体を適切に切断することが可能である。
【００１１】
請求項３に係る発明では、前記球移動経路(R)は、前記球送り部(K)に前記発射位置(S)へ向け延在するよう形成した球送り経路(R1)と、前記球発射案内部(51)に沿って該発射位置(S)から前記球導入部(37)に向け上方に傾斜し、前記球送り経路(R1)と交差する方向に延在するよう形成した球発射経路(R2)とを有し、
前記切断部(101)は、前記球送り経路(R1)の球発射経路(R2)に連通する開口部(80)において、該球発射案内部(51)の上端側に位置する角縁部(80B)に臨むよう配設されたことを要旨とする。
請求項３の発明によれば、糸状体を連結した遊技球が球移動経路における球送り経路から球発射経路を通過した際に、球送り経路の球発射経路に連通する開口部における球発射経路の上端側に位置する角縁部側へ該糸状体が引っ張られるため、該角縁部に臨むよう配設された切断部に該糸状体が接触するようになるから、該切断部により糸状体を確実に切断することが可能である。
【００１２】
請求項４に係る発明では、前記切断部(101)は、前記球移動経路(R)に向け開口すると共に該開口から離れるにつれて徐々に間隔が狭くなるよう形成された一対の切断刃(106,107)を備え、
両切断刃(106,107)間に挟まれた前記糸状体(U)が切断されるよう構成したことを要旨とする。
請求項４の発明によれば、糸状体を連結した遊技球が球移動経路を通過する際に、該糸状体が切断部の開口を介して一対の切断刃間に挟まれるようになるから、該切断刃により該糸状体を適切に切断することが可能である。
【００１３】
請求項５に係る発明では、前記球移動経路(R)と前記切断部(101)との間に、遊技球(PB)が該切断部(101)に接触するのを防止するカバー部(123)が設けられていることを要旨とする。
請求項５の発明によれば、遊技球が切断部に接触することが防止され、該切断部の破損や変形を防止することができる。
【００１４】
請求項６に係る発明では、前記球送り部(K)は、遊技球(PB)を１球ずつ発射位置(S)へ送り込む球送り体(84)を駆動させる駆動手段(83)を備え、
前記切断部(101)は、前記駆動手段(83)に連係されて、該駆動手段(83)の駆動により前記糸状体(U)を切断するよう姿勢変位することを要旨とする。
請求項６の発明によれば、球送り部の球送り体を駆動手段により駆動させて遊技球を送り込む際に切断刃が姿勢変位するので、遊技球に連結された糸状体を該切断部で切断し易くなる。
【発明の効果】
【００１５】
本発明に係る遊技機によれば、糸状体を使用した不正行為を阻止し得る。
【図面の簡単な説明】
【００１６】
【図１】実施例のパチンコ機の正面図である。
【図２】実施例のパチンコ機を、中枠から前枠を開放すると共に遊技盤の遊技領域内を省略した状態で示す斜視図である。
【図３】遊技盤および球発射装置を配設した中枠を、遊技盤の遊技領域内を省略した状態で示す正面図である。
【図４】球発射装置を取り外した中枠の下枠部材を示す正面図である。
【図５】図２のＶ−Ｖ線位置で破断した中枠の下枠部材、球発射装置および球送り装置の断面図である。
【図６】前枠に設置した球送り装置および中枠に設置した球発射装置の位置関係を示す背面図である。
【図７】(ａ)は、球送り装置および球発射装置を前上方から見た斜視図であり、(ｂ)は、球送り装置および球発射装置を後上方から見た斜視図である。
【図８】切断部材が配設された球送り装置の正面図である。
【図９】切断部材が配設された球送り装置の背面図である。
【図１０】(ａ)は、図８のXa−Xa線断面図であり、(ｂ)は、図８のXb−Xb線断面図である。
【図１１】球送り装置の球送り動作を経時的に示す説明図であって、(ａ)は、球送り体が第１姿勢に保持されることで先行遊技球を待機させた状態を示し、(ｂ)は、球送り体が第２姿勢に変位することで、先行遊技球を該球送り体に受け入れた状態を示し、(ｃ)は、球送り体が第１姿勢に復帰することで、先行遊技球を送り出すと共に後行遊技球を待機させた状態を示している。
【図１２】(ａ)は、球送り装置からカバー部材および切断部材を分離した状態を前方から見た斜視図であり、(ｂ)は、球送り装置からカバー部材および切断部材を分離した状態を後方から見た斜視図である。
【図１３】球送り装置からカバー部材および切断部材を分離して、カバー部材に設けたボスおよび支持リブを示した正面図である。
【図１４】(ａ)は、切断部材およびカバー部材の平面図、(ｂ)は、切断部材およびカバー部材の正面図、(ｃ)は、切断部材の右側面図、(ｄ)は、切断部材およびカバー部材の背面図である。
【図１５】(ａ)は、切断部材を前方から見た斜視図であり、(ｂ)は、切断部材を後方から見た斜視図である。
【図１６】糸状体を連結した遊技球を、球発射装置により遊技盤に向け発射させた際に、球送り経路および球発射経路へ引き込まれた該糸状体が遊技球の移動に伴って切断部へ案内される様子を、図６のＹ−Ｙ線で破断した状態で示す説明図である。
【図１７】糸状体を連結した遊技球を、球発射装置により遊技盤に向け発射させた際に、球送り経路および球発射経路へ引き込まれた該糸状体が遊技球の移動に伴って切断部へ案内される様子を、後方から見た説明図である。
【図１８】糸状体が切断部で切断された遊技球が遊技盤に向け発射される様子を、図６のＹ−Ｙ線で破断した状態で示す説明図である。
【図１９】(ａ)は、変更例に係る切断部を備えた球送り装置の正面図であり、(ｂ)は、変更例に係る切断部の作動態様を概略的に示す説明図である。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行うパチンコ機Ｐを例に挙げて説明する。また、以下の説明において、「前」、「後」、「左」、「右」とは、図１に示すようにパチンコ機Ｐを前側(遊技者側)から見た状態で指称する。
【実施例】
【００１８】
(パチンコ機の概略構成について)
実施例に係るパチンコ機Ｐは、図１および図２に示すように、遊技ホールに設けられた「島」とも称される設置枠台(図示せず)に固定される固定枠としての外枠Ａと、該外枠Ａに対して着脱および開閉可能に枢支された本体枠としての中枠Ｂと、該中枠Ｂに着脱交換可能に取付けられて所要の遊技領域３０が画成された遊技盤Ｄと、中枠Ｂの前面側に着脱および開閉可能に枢支され、該中枠Ｂに配設した遊技盤Ｄを透視保護する透明板２２が配設される前枠Ｃとを備えている。前枠Ｃには、遊技球を貯留可能な上球皿Ｅが前記透明板２２の配設部位の下方前側に組付けられ、遊技球を貯留可能な下球皿Ｆが上球皿Ｅの下方に組付けられている。また、前枠Ｃにおける前側右下部には、中枠Ｂに組付けた球発射装置Ｊおよび前枠Ｃに組付けた球送り部としての球送り装置Ｋを作動させるハンドルユニットＧが組付けられており、該ハンドルユニットＧを回動操作すると上球皿Ｅに貯留された遊技球を、球送り装置Ｋを介して球発射装置Ｊの発射位置Ｓ(図６参照)へ１個ずつ送り込み、該発射位置Ｓにセットされた該遊技球ＰＢを、該球発射装置Ｊにより遊技盤Ｄの遊技領域３０に向けて打ち出すよう構成されている。なお、球送り装置Ｋの入口部から、球発射装置Ｊを通過して、遊技盤Ｄの後述する球導入経路(球導入部)３７の入口部までが、球送り経路Ｒ１、球発射経路Ｒ２および球飛翔経路Ｒ３からなる球通過経路Ｒとされている(図２、図６参照)。
【００１９】
（中枠）
前記中枠Ｂは、図２〜図４に示すように、上縁をなす上枠部材１０と、下縁をなして、球発射装置Ｊ等が設置された下枠部材１１と、左側縁をなす左枠部材１２および右側縁をなす右枠部材１３から構成され、全体が外枠Ａの開口に整合する矩形枠状に形成される。中枠Ｂには、遊技盤Ｄを前側から着脱可能に設置し得る遊技盤保持部１４が設けられている。そして中枠Ｂは、外枠Ａの左上端部および左下に設けられたヒンジ機構１５,１５を介して該外枠Ａに枢支され、中枠Ｂは外枠Ａに対して左側端部を中心として開閉し得るようになっている。なお中枠Ｂは、上下左右の各枠部材１０,１１,１２,１３が一体成形されたものでもよい。
【００２０】
(設置面部)
図４に示すように、前記中枠Ｂの下枠部材１１には、左右方向の略中央位置に設置面部１６が形成されており、図２および図３に示すように、該設置面部１６に球発射装置Ｊが組付けられている。設置面部１６は、前後方向において遊技盤保持部１４に保持した遊技盤Ｄの盤面と略同一平面上に位置するよう形成されて、球発射装置Ｊを保持する複数の取付ボス１７が前方に向けて形成されており、該球発射装置Ｊは、その後面を設置面部１６に対向させた姿勢で該取付ボス１７にねじ込んだネジにより固定される。また、設置面部１６には、図４および図５に示すように、球発射装置Ｊの発射レール５１の上面後側に臨む位置に、該発射レール５１の傾斜に合わせて左上がりに延在するガイド部材２５が配設されている。ガイド部材２５には、前方へ突出して発射レール５１の上方に臨むガイド片２５Ａが、左上がりの傾斜状に形成されている。すなわち、取付ボス１７に球発射装置Ｊを組付けた状態では、発射レール５１に沿って球移動経路Ｒの球発射経路Ｒ２を移動する遊技球ＰＢがガイド片２５Ａの前端に接触するようになっており、該ガイド部材２５は、発射レール５１の後方へ遊技球ＰＢが落下することを防止する。また、設置面部１６には、取付ボス１７に組付けた球発射装置Ｊにおける発射レール５１の上方に臨む位置に、発射レール５１に対して１個の遊技球が通過し得る間隔で該発射レール５１に略平行に延在する庇状のガイド壁１８が突設されており、遊技球ＰＢが該発射レール５１から浮き上がるのを規制するように構成されている。更に、中枠Ｂにおける設置面部１６の左方には、下球皿Ｆに連通する球戻し通路１９が形成されており、球発射装置Ｊにより発射されて遊技盤Ｄの遊技領域３０へ到達しなかった遊技球ＰＢが、ファール球として該球戻し通路１９を介して下球皿Ｆへ回収されるようになっている。
【００２１】
（前枠）
前記前枠Ｃは、図１および図２に示すように、中枠Ｂの外郭形状に略合致する矩形板状に形成されると共に前後方向に開口する開口部２０Ａが開設された基体部２０の前面に、開口部２０Ａを囲繞する形状に形成されると共に電飾部材等が配設された装飾部材２１や、上球皿Ｅおよび下球皿Ｆが配設されている。基体部２０は、アルミやスチール等の剛性を有する金属部材で構成されており、開口部２０Ａに臨むように透明板２２が組付けられている。そして前枠Ｃは、中枠Ｂの左側部に配置された第２ヒンジ機構(図示せず)を介して該中枠Ｂに対し開閉自在に枢支されると共に、中枠Ｂに前方から閉成した際には、遊技盤保持部１４に設置した遊技盤Ｄの遊技領域３０に開口部２０Ａが整合するよう構成されている。また、図２に示すように、基体部２０における上球皿Ｅの球出口に対応する位置に、球送り装置Ｋの装着部２３が設けられている。更に、基体部２０に設けられた装着部２３の下方において、球発射装置Ｊの発射ソレノイド５２(後述)に整合する位置には、該発射ソレノイド５２より一回り大きい円形の開口部２４が形成されており、前枠Ｃを中枠Ｂへ閉成させるに際し、発射ソレノイド５２が該開口部２４を介して基体部２０の前側へ突出し得るようになっている。
【００２２】
(上球皿および下球皿)
前記上球皿Ｅは、図１および図２に示すように、基体部２０に固定されると共に多数の遊技球を貯留し得る球貯留部を備えた球皿本体４０と、球皿本体４０の前側に配設される装飾カバー部材４１とを備えている。球皿本体４０は、前方へ円弧状に突出すると共に上方に開放され、上部開口の前部には、球貸し時に操作される球貸ボタンや遊技演出時に操作される操作ボタン等を備えた操作盤４２が配設されている。そして、球皿本体４０の球貯留部は、右方へ下方傾斜すると共に、右方にいくにつれて前後幅が徐々に小さくなって装着部２３の前方まで延在しており、遊技球を１列に整列させた状態で球送り装置Ｋに供給し得るようになっている。また、前記下球皿Ｆは、図１に示すように、該基体部２０に固定されると共に多数の遊技球を貯留し得る球貯留部を備えた球皿本体(図示せず)と、球皿本体の前側に配設される装飾カバー部材４３とを備えている。そして下球皿Ｆは、球貯留部の底部に形成した球抜き開口(図示せず)を開閉するシャッター４４を備えており、該球貯留部に貯留された遊技球を下方へ放出可能となっている。
【００２３】
(ハンドルユニット)
前記下球皿Ｆの装飾カバー部材４３の右側には、図１に示すように、当該パチンコ機Ｐにおいてパチンコ遊技を行なう際に回動操作するハンドルユニットＧが配設されている。ハンドルユニットＧは、球送り装置Ｋの球送りソレノイド８３および球発射装置Ｊの発射ソレノイド５２の作動させるための回動操作部材４５を備えており、該回動操作部材４５の回動量を調整することで、発射ソレノイド５２の励磁力を強弱調整して遊技球の発射速度を調整し得るようになっている。
【００２４】
(遊技盤)
前記遊技盤Ｄは、図１〜図３に示すように、略円形状に湾曲する外レール３１および内レール３２が盤面(前面)に配設されて、外レール３１および内レール３２の内側に遊技領域３０が画成されている。遊技領域３０内には、図柄変動を表示する図柄表示装置、図柄表示装置における図柄変動の契機となる始動入賞装置、図柄表示装置において特別遊技条件が成立した際に開放される特別入賞装置、遊技釘および回転案内具等の図示省略した各種遊技用部品が配置されている。また、外レール３１および内レール３２は、遊技球が通過可能な距離だけ離間するよう構成されて、球発射装置Ｊから発射された遊技球が通過する球導入通路(球導入部)３７が画成されている。ここで、球導入通路３７は、遊技盤Ｄの下端において左右中央より左寄りの位置で下方に開口すると共に(図２、図３参照)、遊技盤Ｄの左上部位置で遊技領域３０内に開口しており、球発射装置Ｊから発射されて球導入通路３７を通過した遊技球を、遊技領域３０内の上部に案内するようになっている。そして、遊技領域３０に打出された遊技球が、始動入賞装置、特別入賞装置およびその他の入賞口に入賞することで、所定数の遊技球が賞球として払い出される。
【００２５】
(球発射装置)
前記球発射装置Ｊは、図３、図６および図７に示すように、設置面部１６の取付ボス１７にネジにより固定される平板状の取付ベース部材５０と、取付ベース部材５０の後面側に配置される球発射案内部としての発射レール５１と、取付ベース部材５０の前面側に配置される回転式駆動手段としての発射ソレノイド５２と、発射ソレノイド５２の回転軸５２Ａに取付けられて取付ベース部材５０の後面側に位置する打球杆５３とを備えている。取付ベース部材５０には、設置面部１６に設けたネジ孔にねじ込まれるネジが挿通可能なネジ挿通孔５４が複数形成されると共に、該取付ベース部材５０の下部には、発射ソレノイド５２の回転軸５２Ａが挿通する挿通孔(図示せず)が形成されている。
【００２６】
前記発射レール５１は、図６、図７(ｂ)および図１０(ａ)に示すように、遊技盤Ｄの球導入通路３７に向けて左上がりに傾斜した姿勢で、取付ベース部材５０の後面上部に取付けられ、該発射レール５１の上面に沿った部分が、球送り装置Ｋの入口部から遊技盤Ｄの球導入経路３７の入口部まで遊技球が移動する経路となる球移動経路Ｒを構成する球発射経路Ｒ２とされている。発射レール５１に沿って球発射経路Ｒ２を移動した遊技球ＰＢは、球移動経路Ｒにおける該発射レール５１の上端から球導入通路３７の入口まで延在する球飛翔経路Ｒ３を飛翔した後、外レール３１に沿って遊技盤Ｄの上部まで移動する。発射レール５１は、長手方向と直交する短手方向の断面形状が略Ｍ字形に形成され(図５、図７(ｂ))、長手方向に延在すると共に短手方向の断面形状が略Ｖ字形の球案内面部５１Ａと、該球案内面部５１Ａの後縁から垂直下方へ折曲げて形成された取付板部５１Ｂとを備えている。取付板部５１Ｂには、発射レール５１の長手方向に離間する複数の通孔(図示せず)が穿設されており、前記取付ベース部材５０の後面から後方へ突設した位置決めボス(図示せず)を各通孔に整合させ、該位置決めボスのネジ孔に通孔を介してねじ込んだネジ５５により、発射レール５１が取付ベース部材５０に固定されている。
【００２７】
前記取付ベース部材５０の後面側には、図６および図７(ｂ)に示すように、発射レール５１の下端側(右端)の上方位置に、右方に向かうにつれて下方へ変位して該発射レール５１に近づくように形成された球規制部５６Ａを備える球規制部材５６が取付けられている。ここで、球規制部５６Ａと発射レール５１との間隔は、該発射レール５１の下端側が遊技球ＰＢの直径より小さく設定されており(図１８参照)、これにより球規制部５６Ａと発射レール５１との間に入り込んだ遊技球ＰＢは、球規制部５６Ａと発射レール５１の球案内面部５１Ａとで上下から挟まれて停止するようになっている。そして、球規制部５６Ａと発射レール５１とにより挟まれて停止した位置が、打球杆５３により遊技球ＰＢを遊技盤Ｄに向けて発射する際の発射位置Ｓとされる。また、取付ベース部材５０の後面側において、発射レール５１の下端側の下方には、打球杆５３を位置規制する上ストッパ５７が設けられると共に、発射ソレノイド５２の右方に、該打球杆５３を位置規制する下ストッパ５８が設けられている。上ストッパ５７および下ストッパ５８は、ゴムやウレタン等の弾性部材で形成されており、打球杆５３の衝突による衝撃を緩衝すると共に衝突による異音の発生を防止するようになっている。
【００２８】
前記打球杆５３は、図６および図７に示すように、所要長の棒状部材であって、一方の端部が発射ソレノイド５２の回転軸５２Ａに固定されると共に、他方の端部にコイルスプリングからなる弾発部５９が設けられている。打球杆５３は、上下のストッパ５７,５８の間に臨むように配設され、発射ソレノイド５２の非励磁(消磁)状態においては、該発射ソレノイド５２の回転軸５２Ａから右方向に延在して下ストッパ５８に上方から当接する初期位置に保持され(図６に２点鎖線で示す)、発射ソレノイド５２が励磁制御されると、上ストッパ５７に右方から当接する打球位置まで回動する(図６に実線で示す)。そして、打球杆５３の打球位置においては、弾発部５９が発射レール５１と球規制部５６Ａとの間から発射位置Ｓに突出するようになり、該発射位置Ｓにセットされた遊技球ＰＢを発射レール５１に沿って発射するように構成されている。
【００２９】
(球送り装置)
前記球送り装置Ｋは、球発射装置Ｊの打球作動とタイミングを合わせて球送り作動を行ない得る電動制御形態のものであって、図７〜図９に示す如く、球移動経路Ｒを構成する球送り経路Ｒ１が画成されたケース部材７０に、後述する球送り機構部８２が配設され、全体がカセット形式に構成されている。そして球送り装置Ｋは、前枠Ｃの基体部２０に設けられた装着部２３に対して後方から組付けられて、前枠Ｃを中枠Ｂに対して前方から閉成すると球発射装置Ｊの前側に位置し、球送り経路Ｒ１の球送出口(開口部)８０が発射位置Ｓの左上方において発射レール５１の球案内面部５１Ａより上方で開口するよう構成されている(図６参照)。なお、図６は、球送り装置Ｋを後方から見ているため、球送出口８０は発射位置Ｓの右上方となっている。また、球送り装置Ｋには、後述するように、切断部材１００が配設されている。
【００３０】
(ケース部材)
前記ケース部材７０は、図８〜図１３に示すように、前方および下方へ開口する横長で略矩形箱状の本体部７１と、本体部７１の左縁から左方へ延出すると共に該本体部７１の右縁から右方へ延出した固定板部７２と、本体部７１の上縁から上方へ延出した取付板部７３とを備えている。ケース部材７０は、本体部７１における左右方向の略中央に、該本体部７１の後壁７１Ａから前方へ延出すると共に上下に延在する区画壁７４が設けられ、該区画壁７４より右側部分が、球送り機構部８２を配設する第１収容部７５とされると共に、該区画壁７４から左側部分が、切断部材１００を配設する第２収容部７６とされている。そして、第１収容部７５の区画壁７４に沿った部位に、球移動経路Ｒを構成する球送り経路Ｒ１が画成されている。
【００３１】
(球送り経路)
前記球送り経路Ｒ１は、図５、図７(ａ)、図８〜図１０に示すように、第１収容部７５の区画壁７４の沿う部位に、１個の遊技球ＰＢが通過し得る幅に形成され、該ケース部材７０の上下方向中間より上方に設けられた球通入路７７と、球通入路７７の下方に位置して該球通入路７７に対し右方へオフセットして設けられた球通出路７８とで構成されている。すなわち球送り経路Ｒ１は、球通出路７８が球通入路７７に対して遊技球ＰＢの半径程度だけ右方へずれて形成されており、前記区画壁７４の上下中央には段部７９が形成されている。球通入路７７は、段部７９より上方において区画壁７４から右方に位置する通路壁７７Ａにより後方が塞がれていると共に、ケース部材７０の前方に開口しており、球送り装置Ｋを装着部２３に組付けると上球皿Ｅの球出口に後方から臨むようになる。球通出路７８は、後壁７１Ａに形成した矩形状の球送出口８０を介して後方へ開口しており、球送り装置Ｋを組付けた前枠Ｃを中枠Ｂに対して閉成した際に、該球通出路７８が球発射装置Ｊにおける発射位置Ｓの左上方に位置するようになる(図６、図７(ｂ)、図１７参照)。従って、上球皿Ｅから供給される遊技球ＰＢは、球送り経路Ｒ１における球通入路７７に入り、該球通入路７７から球通出路７８へ移動した後、球送出口８０を介して発射位置Ｓへ送り出される。
【００３２】
(球送り機構部)
前記球送り機構部８２は、図８および図９に示すように、駆動手段としての球送りソレノイド８３と、ケース部材７０の右端に前方へ延出するよう設けられた支軸８５に回転可能に支持された昇降傾動式の球送り体８４とを備えている。球送りソレノイド８３は、磁力発生部(ボビン)８６と、磁力発生部８６に貫通するコ字型の鉄心８７とを備えており、鉄心８７の両端に位置する磁着部８７Ａ,８７Ａを下方に指向させた状態で、磁力発生部８６をケース部材７０における取付板部７３の後側にネジで固定されている。このような球送りソレノイド８３は、電気を印加することで磁力発生部８６に磁力が発生し、該磁力が鉄心８７の各磁着部８７Ａ,８７Ａに集中的に作用するよう構成されている。なお、各磁着部８７Ａ,８７Ａは、本体部７１の上壁７１Ｂに形成された開口を介して第１収容部７５内の上方に臨んでいる(図７(ｂ)参照)。
【００３３】
前記球送り体８４は、合成樹脂製の一体成形部材であって、図７(ａ)、図８および図９に示すように、ブロック状の本体９０と、本体９０の右上部に設けられて前記支軸８５が前後に挿通する枢支部９１と、本体９０の左上部から左方へ突設された規制部９２と、本体９０の左下部から左方へ突設された球受け部９３とを備えている。そして、本体９０の左縁において前記規制部９２と球受け部９３との間には、遊技球ＰＢを収容可能な凹部９５が形成されている。また、本体９０の右下部には、ケース部材７０の後壁７１Ａに設けた第１ストッパ８１に左方から当接する第１当接部９４が形成されていると共に、該本体９０に形成された開口には、該後壁７１Ａに設けた第２ストッパ８８に右方から当接する第２当接部９７が形成されている。更に、本体９０の上面には、球送りソレノイド８３の磁着部８７に対して下方から対向する金属製の磁性片９６が配設されている。球送り体８４は、枢支部９１に支軸８５が挿通することで、球送り経路Ｒ１の球通入路７７に規制部９２を臨ませると共に記球通出路７８に球受け部９３を臨ませた姿勢で、本体部７１の第１収容部７５に収容される。
【００３４】
前記球送り体８４は、球送りソレノイド８３の駆動による励磁・消磁制御に伴い、本体９０が支軸８５を中心として揺動変位する。すなわち、球送りソレノイド８３の消磁状態においては、図１１(ａ)および図１１(ｃ)に示すように、球送り体８４の自重により該図１１(ａ)において反時計方向へ回転し、第１当接部９４が第１ストッパ８１に当接した第１姿勢に保持される。球送り体８４の第１姿勢においては、規制部９２が略水平に延出した状態となり、該規制部９２の先端と区画壁７４の段部７９右端との間隔が、遊技球ＰＢの直径より小さくなるよう構成されており、球送り経路Ｒ１の球通入路７７に入った遊技球ＰＢを、規制部９２と段部７９とにより球通入路７７内に待機させるようになっている。
【００３５】
一方、球送りソレノイド８３が励磁制御された状態では、図１１(ｂ)に示すように、磁性片９６が該球送りソレノイド８３の磁着部８７に磁力吸引されることで図１１(ａ)に示す状態から時計方向へ回転して、第２当接部９７が第２ストッパ８８に当接した第２姿勢に保持される。球送り体８４の第２姿勢においては、規制部９２が右上方へ旋回移動して左上がり姿勢となり、該規制部９２の先端と区画壁７４の段部７９右端との間隔が、遊技球ＰＢの直径より大きくなるよう構成されており、球送り経路Ｒ１の球通入路７７内で待機していた遊技球ＰＢが該規制部９２と段部７９との間から球通出路７８へ落下することを許容する。また、球送り体８４の第２姿勢においては、球受け部９３が上方へ移動しており、該球受け部９３の上端と球送出口８０の上縁部８０Ａとの間隔が、遊技球ＰＢの直径より小さくなるよう構成されている。従って、球送り経路Ｒ１の球通出路７８に入った遊技球ＰＢは、球受け部９３と球送出口８０の上縁部８０Ａとにより、球送り体８４の凹部９５へ収容された状態で該球通出路７８内に保持されるようになっている。
【００３６】
更に、球送り体８４が第２姿勢において球送りソレノイド８３が消磁制御されると、該球送り体８４が、自重および保持した遊技球ＰＢの重さにより第１姿勢に変位する。この第１姿勢においては、球受け部９３の上端と球送出口８０の上縁部８０Ａとの間隔が、遊技球ＰＢの直径より大きくなるよう構成されている。従って、球送り経路Ｒ１の球通出路７８に待機していた遊技球ＰＢは、球送出口８０を介して発射位置Ｓへ移動することが許容される。なお、図７(ｂ)および図９に示すように、球受け部９３の上面は後下がりの傾斜状に形成されており、凹部９５に保持されていた遊技球は、該球受け部９３の上面を後方へ転動し易くなっている。
【００３７】
従って、実施例の球送り装置Ｋは、ハンドルユニットＧでの操作に基づく駆動制御部(図示省略)でのパルス制御により、球送りソレノイド８３が設定時間毎に励磁・消磁されるように駆動することで、球送り体８４が支軸８５を中心として第１姿勢(図１１(ａ)参照)および第２姿勢(図１１(ｂ)参照)の間で揺動変位し、上球皿Ｅから供給される遊技球ＰＢを、１個ずつ発射位置Ｓへ送り出すことができる。
【００３８】
(糸状体切断構造)
実施例のパチンコ機Ｐでは、図６〜図１１、図１６〜図１８に示すように、遊技球ＰＢに一端が連結された縫い糸や釣り糸等からなる糸状体Ｕを切断可能な切断部１０１を球移動経路Ｒに臨むように設け、該切断部１０１で該糸状体Ｕを切断するよう構成されている。ここで実施例では、球送り装置Ｋのケース部材７０に、切断部１０１を備えた切断部材１００が配設されており、糸状体Ｕを連結した遊技球ＰＢを球送り装置Ｋおよび球発射装置Ｊにより遊技盤Ｄに向けて通常通り発射した際に、該切断部１０１で該糸状体Ｕを切断するようになっている。これにより、糸状体Ｕを連結した遊技球ＰＢを遊技盤Ｄの遊技領域３０内へ打出して、該糸状体Ｕを適宜操作することで賞球を不正取得しようとする不正行為を防止することが可能となっている。
【００３９】
ここで、実施例のパチンコ機Ｐは、図１０(ａ)および図１６に示すように、球送り装置Ｋが組付けられた前枠Ｃを球発射装置Ｋが組付けられた中枠Ｂに対し閉成して、球送り装置Ｋを球発射装置Ｊに整合させた状態では、発射位置Ｓに向け延在する球送り装置Ｋの球送り経路Ｒ１と、発射位置Ｓから球導入通路３７に向け延在する球発射装置Ｊの球発射経路Ｒ２とが、互いに交差する方向に延在するよう構成されている。すなわち、球移動経路Ｒにおける球送り経路Ｒ１と球発射経路Ｒ２とは、上方から見ると略Ｌ字形に延在している。このような球移動経路Ｒの形態では、糸状体Ｕが連結された遊技球ＰＢが、打球杆５３により発射位置Ｓから発射されて発射レール５１に沿って球発射経路Ｒ２を移動すると、球送り経路Ｒ１から球発射経路Ｒ２へ引き込まれた当該糸状体Ｕは、図１６に示すように、球送り経路Ｒ１と球発射経路Ｒ２との境界部に位置する球送出口(開口部)８０において、該球発射経路Ｒ２の上端側に位置する角縁部８０Ｂの方向へ引っ張られるようになる。従って、実施例のパチンコ機Ｐでは、球送り装置Ｋのケース部材７０に設けた第２収容部７６に切断部材１００を配設して、該切断部材１００に設けた切断部１０１を、球送出口８０における球発射経路Ｒ２の上端側に位置する角縁部８０Ｂに臨ませ、該角縁部８０Ｂ側へ移動した糸状体Ｕを該切断部１０１で切断するよう構成されている。
【００４０】
(切断部材)
前記切断部材１００は、図１２〜図１５に示すように、例えば金属製の薄板を、プレス成形技術により所要外形形状に打ち抜くと共に折曲げて成形した板金部材である。前記切断部材１００は、ケース部材７０の後壁７１Ａに固定される固定板部１０２と、固定板部１０２の右縁から後方へ折曲すると共に右方へ折曲することで該固定板部１０２の右後方に位置する刃形成部１０３とを備えており、該刃形成部１０３に切断部１０１が形成されている。固定板部１０２には、当該切断部材１００をケース部材７０に固定するネジ１１７が挿通するネジ挿通孔１０４が形成されると共に、該ネジ挿通孔１０４の上方および下方に、位置決め孔１０５,１０５が形成されている。
【００４１】
(切断部)
前記切断部１０１は、図１４および図１５に示すように、刃形成部１０３の上端に隣接して設けられた第１切断刃１０６と、該第１切断刃１０６の下側に隣接して設けられた第２切断刃１０７とから構成されている。第１切断刃１０６は、刃形成部１０３と同一平面に形成されて右方へ延出していると共に、第２切断刃１０７は、刃形成部１０３を後方へ所要角度に折曲げて形成され、第１切断刃１０６に対して右斜め後方へ延出している(図１４(ａ)参照)。従って、第１切断刃１０６と第２切断刃１０７とは、上方から見ると右方に開放した鋭角なＶ字状に形成されている。第１切断刃１０６の水平に延在する下縁および第２切断刃１０７の水平に延在する上縁は、尖端形状または角張った形状に形成された刃部１０６Ａ,１０７Ａとなっており、第１切断部１０１と第２切断部１０１との間に糸状体Ｕが挟み込まれると、第１切断刃１０６の刃部１０６Ａまたは第２切断刃１０７の刃部１０７Ａで該糸状体Ｕを切断することができる。なお、第１切断刃１０６の右下角部および第２切断刃１０７の右上角部は、斜めに面取りされていて、第１切断刃１０６と第２切断刃１０７との間に糸状体Ｕを導き易くなっている。
【００４２】
前記球送り装置Ｋのケース部材７０は、図１２および図１３に示すように、切断部材１００を取付けるための構成として、後壁７１Ａにおける第２収容部７６に臨む部位に、ネジ孔１１１を形成したボス１１０が前方へ突出するよう形成されており、ネジ１１７が該ネジ孔１１１に螺合されるようになっている。また、後壁７１Ａにおけるボス１１０の上方および下方には、左右に延在する支持リブ１１２,１１２が前方へ突出するよう形成されている。また、上下の各支持リブ１１２,１１２の前端には、位置決めピン１１３,１１３が前方へ突出するよう形成されており、切断部材１００の固定板部１０２に形成された各位置決め孔１０５,１０５に、各位置決めピン１１３,１１３が対応して突入するようになっている。
【００４３】
また、図１０(ａ)、図１０(ｂ)、図１２(ｂ)および図１３に示すように、後壁７１Ａにおける第２収容部７６に臨む部位において、区画壁７４の段部７９の後方となる部位には、球送出口８０に対し左上方に隣接する開口部１１４が形成されている。また、後壁７１Ａには、球送出口８０の左上角部から左方へ延在して開口部１１４に開口する第１スリット１１８が形成されており、球送出口８０と開口部１１４とは該第１スリット１１８を介して連通している。更に、図１０(ｂ)および図１３に示すように、球通入路７７の後側に位置する前記通路壁７７Ａにおいて、段部７９の上方に隣接する部位には、該段部７９に沿って左方へ延在する第２スリット１１９が形成されており、第２収容部７６における切断部１０１が配設される部位と球通入路７７とが該第２スリット１１９を介して連通している。なお、第２スリット１１９は、第１スリット１１８と連通している。そして、第２収容部７６に配設された切断部材１００の切断部１０１は、図８〜図１０に示すように、第１スリット１１８を介して球送出口８０の角縁部８０Ｂに臨み、第２スリット１１９を介して球送り経路Ｒ１に臨んでいると共に、開口部１１４を介して球発射経路Ｒ２に臨んでいる。
【００４４】
(糸状体案内構造)
前記ケース部材７０における球送出口８０の上縁部８０Ａおよび角縁部８０Ｂは、球発射装置Ｊによる遊技球ＰＢの発射に伴い、糸状体Ｕを切断部１０１に向けて案内する案内部として機能するよう構成されている。すなわち、球送出口８０の上縁部８０Ａは、図８、図９および図１３に示すように、左右方向に延在すると共に、左端において第１スリット１１８に連設されている。従って、球送出口８０の上縁部８０Ａは、糸状体Ｕを連結した遊技球ＰＢが発射レール５１に沿って球発射経路Ｒ２を左上方へ移動する際に該糸状体Ｕが接触すると、糸状体Ｕを第１スリット１１８に向けて左方へ案内することができるから、該第１スリット１１８に臨む切断部１０１に該糸状体Ｕを好適に案内し得る。また、球送出口８０の上縁部８０Ａは、図８、図９および図１３に示すように、上下方向に延在すると共に、上端において第１スリット１１８に連設されている。従って、球送出口８０の角縁部８０Ｂは、糸状体Ｕを連結した遊技球ＰＢが発射レール５１に沿って球発射経路Ｒ２を左上方へ移動する際に該糸状体Ｕが接触すると、糸状体Ｕを第１スリット１１８に向けて上方へ案内することができるから、該第１スリット１１８に臨む切断部１０１に該糸状体Ｕを好適に案内し得る。
【００４５】
(カバー部材)
前記第２収容部７６には、図８、図９、図１２および図１４に示すように、ケース部材７０の後壁７１Ａと切断部材１００との間に配設されて開口部１１４に臨み、球移動経路Ｒの球発射経路Ｒ２と切断部１０１との間に位置するカバー部材１２０が配設されている。カバー部材１２０は、ネジ１１７が挿通するネジ孔１２２が形成されてボス１１０に当接する固定部１２１と、該固定部１２１の右上部から右方へ延出して開口部１１４に臨むカバー部１２３とを備えている。従って、カバー部材１２０は、ネジ１１７を利用してボス１１０に固定するとカバー部１２３が開口部１１４に臨み、該開口部１１４側へ延出する第２切断刃１０７を球発射経路Ｒ２から被覆し、球発射経路Ｒ２に沿って移動する遊技球ＰＢが、切断部１０１の第１切断刃１０６および第２切断刃１０７に接触するのを防止し得る。なお、カバー部１２３の右側は、後方へ斜めに延出する第２切断刃１０７の角度に合わせて後方へ傾斜する傾斜面１２３Ａが形成されている。
【００４６】
実施例の切断部材１００は、前述したように、第１切断刃１０６および第２切断刃１０７が先端に向かうにつれて離間したＶ字状に形成されているから、切断部１０１は、球送出口８０の前記角縁部８０Ｂに向け開口すると共に、開口から離れるにつれて(両切断刃１０６,１０７の基部に近づくにつれて)間隔が徐々に狭くなっている。従って切断部材１００は、発射レール５１に沿って球発射経路Ｒ２を移動する遊技球ＰＢにより角縁部８０Ｂ側へ引っ張られた糸状体Ｕが、第１切断刃１０６および第２切断刃１０７の間へ入り易くなっており、第１切断刃１０６および第２切断刃１０７の間に挟まれた糸状体Ｕを両切断刃１０６,１０７で確実に切断し得るよう構成されている。
【００４７】
また、図５、図１６および図１８に示すように、前枠Ｃを中枠Ｂに対し閉成して球送り装置Ｋが球発射装置Ｊの前側に位置した状態では、発射レール５１の後側に位置するガイド部材２５におけるガイド片２５Ａの前端と、該発射レール５１の前側に位置するカバー部材１２０のカバー部１２３の後面との前後方向での間隔Ｌは、遊技球ＰＢの直径より僅かに大きく設定されている。これにより、発射位置Ｓから発射された遊技球ＰＢは、発射レール５１に沿って球発射経路Ｒ２を移動する際に、必ず切断部１０１の直ぐ後側を通過するようになっている。従って、遊技球ＰＢに糸状体Ｕが連結されていた場合には、該糸状体Ｕが切断部１０１の直ぐ後側を必ず通過するから、該糸状体Ｕが第１スリット１１８を介して開口部１１４へ移動して、切断部１０１の第１切断刃１０６および第２切断刃１０７の間に挟み込まれ易く構成されている。また、切断部１０１は、発射レール５１の球案内面部５１Ａの直ぐ上側に位置し(図１７参照)、球発射経路Ｒ２を移動する遊技球ＰＢの正面に位置していることからも、該遊技球ＰＢに連結された糸状体Ｕが切断部１０１の第１切断刃１０６および第２切断刃１０７の間に挟み込まれ易く構成されている。
【００４８】
〔実施例の作用〕
次に、実施例に係るパチンコ機Ｐの作用について説明する。
【００４９】
実施例のパチンコ機Ｐは、パチンコ遊技を行なう際に、遊技者がハンドルユニットＧの回動操作部材４５を回動させて発射操作を行なうと、球送り装置Ｋの球送りソレノイド８３および球発射装置Ｊの発射ソレノイド５２が所定のタイミングで駆動制御され、上球皿Ｅの球皿本体４０に貯留されている遊技球を１個ずつ遊技盤Ｄの遊技領域３０へ発射する。すなわち球送り装置Ｋは、図１１(ａ)〜図１１(ｃ)に示すように、球送りソレノイド８３が励磁・消磁制御されることで球送り体８４が第１姿勢と第２姿勢との間を揺動変位し、上球皿Ｅの出口から球送り経路Ｒ１の球通入路７７に移動した先行の遊技球ＰＢを、球送り体８４が第１姿勢において該球通入路７７内で待機させ、該球送り体８４が第２姿勢に姿勢変位すると球通出路７８へ移動させ、該球送り体８４が再び第１姿勢に戻る際に該球通出路７８から球送出口８０を介して球発射装置Ｊの発射位置Ｓへ送り出すと共に、後行の遊技球ＰＢを球通入路７７内で待機させる。
【００５０】
前記球発射装置Ｊは、発射ソレノイド５２が励磁・消磁制御されることで、打球杆５３が初期位置と打球位置との間を回動変位し、球送り装置Ｋから送り出されて発射位置Ｓにセットされた遊技球ＰＢを、打球杆５３が初期位置から打球位置へ回動することで発射レール５１に沿って発射する。打球杆５３により発射された遊技球ＰＢは、発射レール５１に沿って球発射経路Ｒ２を移動した後、球飛翔経路Ｒ３を移動して遊技盤Ｄの球導入経路３７へ飛翔すると共に、外レール３１に沿って上昇して該遊技盤Ｄの遊技領域３０内の上部へ打ち込まれる。そして遊技球ＰＢは、遊技領域３０内を流下して、その一部が始動入賞装置３３や特別入賞装置３４に入賞し、入賞せずに遊技領域３０の下部まで流下した遊技球ＰＢはアウト球として機外へ排出される。
【００５１】
そして、糸状体Ｕの一端が連結された遊技球ＰＢが球送り装置Ｋの球送り経路Ｒ１へ供給された場合には、通常の球送り装置Ｋの球送り動作および球発射装置Ｊの打球動作により、糸状体Ｕが連結された当該遊技球ＰＢは、球送り装置Ｋの球送り経路Ｒ１および球発射装置Ｊの球発射経路Ｒ２を移動して遊技盤Ｄに向けて発射される。これにより、遊技球ＰＢに連結された糸状体Ｕは、該遊技球ＰＢの球移動経路Ｒ２での移動に追従して球送り装置Ｋの球送り経路Ｒ１および球発射装置Ｊの球発射経路Ｒ２に引き込まれるようになる。
【００５２】
ここで、図１６に示すように、球送り経路Ｒ１および球発射経路Ｒ２からなる球移動経路Ｒは、球発射経路Ｒ２が球送り経路Ｒ１に対して交差する方向へ延在して略Ｌ字形に延在しているから、遊技球ＰＢが発射レール５１に沿って球発射経路Ｒ２を移動することで、糸状体Ｕは、球送出口８０の上縁部８０Ａまたは角縁部８０Ｂに適宜接触して、第１スリット１１８および第２スリット１１９側へ案内される。そして、図１６および図１７に示すように、第１スリット１１８および第２スリット１１９側へ案内された糸状体Ｕは、該第１スリット１１８および第２スリット１１９に沿って左方へ移動した後に開口部１１４内へ移動し、切断部１０１における第１切断刃１０６と第２切断刃１０７との間に挟み込まれる。従って糸状体Ｕは、図１８に示すように、第１切断刃１０６および第２切断刃１０７で挟まれた部分が両切断刃１０６,１０７により切断され、該糸状体Ｕの該切断部分より球送り経路Ｒ１側に延在する部分が該遊技球ＰＢから分離される。
【００５３】
従って、実施例のパチンコ機Ｐによれば、糸状体Ｕの一端を連結した遊技球ＰＢを、球送り装置Ｋおよび球発射装置Ｊにより遊技盤Ｄの遊技領域３０に向けて発射した際に、球移動経路Ｒを通過する該遊技球ＰＢに引っ張られた該糸状体Ｕを、切断部材１００における該球移動経路Ｒに臨ませた切断部１０１の第１切断刃１０６または第２切断刃１０７で切断することができる。これにより、糸状体Ｕを連結した遊技球ＰＢが遊技盤Ｄの遊技領域３０へ到達する前に、糸状体Ｕを遊技球ＰＢから分離させることができる。従って、遊技盤Ｄの遊技領域３０へ打ち込まれた遊技球ＰＢを、球送り装置Ｋの球送り経路Ｒ１からパチンコ機Ｐの前側へ引き出された糸状体Ｕで操作することが不可能となり、該糸状体Ｕを使用して賞球を不正に獲得しようとする不正行為を好適に阻止することが可能である。
【００５４】
そして、球送り装置Ｋのケース部材７０は、球送出口８０の上縁部８０Ａおよび角縁部８０Ｂにより、遊技球ＰＢの発射に伴い切断部１０１に向けて糸状体Ｕを案内して、該切断部１０１の第１切断刃１０６および第２切断刃１０７により該糸状体Ｕに適切に切断することができる。しかも切断部１０１は、球送り経路Ｒ１における球発射経路Ｒ２に連通する球送出口８０において、該球発射経路Ｒ２の上端側に位置する角縁部８０Ｂに臨む側に配設されているから、糸状体Ｕを連結した遊技球ＰＢが球発射経路Ｒ２を移動することで角縁部８０Ｂ側へ案内された該糸状体Ｕを、切断部１０１側へ適切に導いて切断することができる。
【００５５】
また切断部１０１は、球移動経路Ｒに向け開口すると共に該開口から離れるにつれて徐々に間隔が狭くなるよう形成された一対の第１切断刃１０６および第２切断刃１０７から構成されているから、糸状体Ｕを連結した遊技球ＰＢが球移動経路Ｒを通過する際に、該糸状体Ｕが切断部１０１の開口を介して両切断刃１０６,１０７間に挟まれるようになり、第１切断刃１０６および第２切断刃１０７により該糸状体Ｕを適切に切断することが可能である。
【００５６】
更に、球移動経路Ｒの球発射経路Ｒ２と切断部１０１との間に、カバー部材１２０のカバー部１２３が臨んでいるから、遊技球ＰＢが該切断部１０１に接触することが該カバー部１２３により防止される。これにより、遊技球ＰＢの接触による切断部１０１の摩耗、変形または破損が防止され、切断部１０１の切断機能を長期に亘って維持することができる。また、遊技球ＰＢが発射レール５１に沿って勢いよく発射され、該遊技球ＰＢに連結されて球送り経路Ｒ１から球発射経路Ｒ２へ引き込まれる糸状体Ｕが第２切断刃１０７に接触した場合でも、カバー部１２３により該第２切断刃１０７が開口部１１４側へ変位することが防止され、切断部１０１の変形や破損が防止される。
【００５７】
〔変更例〕
なお、本発明に係る遊技機の構成としては、前述した実施例に示したものに限らず、種々の変更が可能である。以下にその一例を示す。
（１）実施例では、切断部材１００を球送り装置Ｋのケース部材７０に配設して、切断部１０１を球移動経路Ｒに臨ませる形態を例示したが、切断部材１００を球発射装置Ｊの取付ベース部材５０や発射レール５１に配設して、切断部１０１を球移動経路Ｒの球発射経路Ｒ２の上方、前方または後方に臨ませるよう構成してもよい。また、切断部材１００を中枠Ｂの下枠部材１１に配設して、切断部１０１を球移動経路Ｒの球飛翔経路Ｒ３の上方、前方または後方に臨ませるよう構成してもよい。
（２）実施例では、切断部１０１が、上方から見てＶ字形に形成して球移動経路Ｒに向け開口する第１切断部１０１および第２切断部１０１から構成した形態を例示したが、発射位置Ｓから見て(側方から見て)Ｖ字形に開口するよう第１切断部１０１および第２切断部１０１を設けるようにしてもよい。
（３）切断部１０１は、一対の切断刃から構成されたものに限らず、１つの切断刃から構成されたものであってもよい。
（４）切断部１０１は、球送り装置Ｋのケース部材７０に一体に形成したものや、球発射装置Ｊの取付ベース部材５０や発射レール５１に一体に形成したものであってもよい。
（５）切断部１０１は、実施例のように固定タイプに限らず、図１９に概略的に示すように、球送り装置Ｋにおける駆動手段である球送りソレノイド８３に連係されて、該球送りソレノイド８３の駆動により糸状体Ｕを切断するよう姿勢変位する可動タイプとしてもよい。図１９(ａ)に示す切断部１０１は、ケース部材７０に固定される固定切断刃１０８と、ケース部材７０に固定した枢支軸１２５に回転可能に枢支された可動切断刃１０９とから構成されると共に、該可動切断刃１０９が球送りソレノイド８３のプランジャ８３Ａに対し連結部材１３０で連係されている。可動切断刃１０９は、球送りソレノイド８３の励磁・消磁制御によるプランジャ８３Ａの進退移動に伴って連結部材１３０が昇降移動することで、枢支軸１２５を中心として回動変位して固定切断刃１０８に対して近接・離間移動するようになる。すなわち、球送りソレノイド８３の消磁状態では、図１９(ａ)に実線で示すと共に図１９(ｂ)に２点鎖線で示すように、固定切断刃１０８に対して離間しており、球送りソレノイド８３が励磁制御されると、図１９(ｂ)に実線で示すように、固定切断刃１０９に対して近接するようになる。従って、遊技球ＰＢに連結されて球移送経路Ｒ(球送り経路Ｒ１)に引き込まれた糸状体Ｕが、球送りソレノイド８３の消磁状態において離間した固定切断刃１０８と可動切断刃１０９との間に挟まれると(図１９(ａ)の状態)、該球送りソレノイド８３が励磁制御されると、互いに近接した両切断刃１０８,１０９で切断されるようになる。特に、図１９(ａ)に示す切断部１０１の場合には、遊技球ＰＢが球移動経路Ｒを移動していない状態(糸状体Ｕが角縁部８０Ｂ側へ引っ張られずに、第２スリット１１９内で停止している状態)でも、切断部１０１で糸状体Ｕを切断することができる。なお、球送り体８４は、連結部材１３０に連係されており、球送りソレノイド８３の励磁・消磁制御に伴い該連結部材１３０が昇降移動することで、支軸８５を中心として第１姿勢および第２姿勢に揺動変位するようになっている(図１９(ｂ)参照)。
（６）切断部１０１を駆動するための駆動手段を、球送りソレノイド８３と別に設けるようにしてもよい。
（７）切断部材１００を、球発射経路Ｒ２に切断部１０１を臨むように球発射装置Ｊに配設する場合には、該球発射装置Ｊの駆動手段である発射ソレノイド５２に該切断部１０１を連係させて、該発射ソレノイド５２の駆動により糸状体Ｕを切断するよう姿勢変位するよう構成することも可能である。
（８）実施例では、遊技機としてのパチンコ機を例示したが、本願発明が対象とする遊技機はこれに限られるものではなく、アレンジボール機等であってもよい。
【符号の説明】
【００５８】
３７ 球導入経路(球導入部)，８０ 球送出口(開口部)，８０Ａ 上縁部(案内部)
８０Ｂ 角縁部(案内部)，８３ 球送りソレノイド(駆動手段)，８４ 球送り体
１０１ 切断部，１０６ 第１切断刃，１０７ 第２切断刃，１２３ カバー部
Ｄ 遊技盤，Ｅ 上球皿(球皿)，５１ 案内レール(球発射案内部)
Ｋ 球送り装置(球送り部)，ＰＢ 遊技球，Ｒ 球移動経路，Ｒ１ 球送り経路
Ｒ２ 球発射経路，Ｓ 発射位置，Ｕ 糸状体
【図１】
2014008171.tif 000003
【図２】
2014008171.tif 000004
【図３】
2014008171.tif 000005
【図４】
2014008171.tif 000006
【図５】
2014008171.tif 000007
【図６】
2014008171.tif 000008
【図７】
2014008171.tif 000009
【図８】
2014008171.tif 000010
【図９】
2014008171.tif 000011
【図１０】
2014008171.tif 000012
【図１１】
2014008171.tif 000013
【図１２】
2014008171.tif 000014
【図１３】
2014008171.tif 000015
【図１４】
2014008171.tif 000016
【図１５】
2014008171.tif 000017
【図１６】
2014008171.tif 000018
【図１７】
2014008171.tif 000019
【図１８】
2014008171.tif 000020
【図１９】
2014008171.tif 000021